(57)【要約】      （修正有）【課題】安価で、高級感があり、和紙のような風合いと独特の手触りを有する包装用梨地調感フィルムを提供する。【解決手段】グラビア印刷手法によって包装紙に適合した模様を熱可塑性フィルム表面４に印刷し、更にその表面４１にメジウム印刷手法によって、白の体質顔料を含有したメジウムインキ４２を印刷して梨地風合面４３を表現したことを特徴とし、熱可塑性フィルムがポリプロピレン系樹脂フィルムであり、メジウムインキが０．５〜１．５重量パーセントの白の体質顔料を含有することを特徴とし、その結果、視認及び手触りで梨地調感が付与される包装用梨地調感フィルムを得ることができる。【選択図】図３
0003183855.tif 000002
【実用新案登録請求の範囲】
【請求項１】
グラビア印刷手法によって包装紙に適合した模様を熱可塑性フィルム表面に印刷し、更にその表面にメジウム印刷手法によって、白の体質顔料を含有したメジウムインキを印刷して梨地風合を表現したことを特徴とした包装用梨地調感フィルム。
【請求項２】
熱可塑性フィルムがポリプロピレン系樹脂フィルムであり、メジウムインキが０．５〜１．５重量パーセントの白の体質顔料を含有することを特徴とする請求項１記載の包装用梨地調感フィルム。
【請求項３】
視認及び手触りで梨地調感が付与されていることを特徴とする請求項１記載の包装用梨地調感フィルム。
【考案の詳細な説明】
【技術分野】
【０００１】  本考案は包装用梨地調感フィルムに関し、特にエンボスロール、マットロール、サンドブラスト等の加工を施さずに梨地調感が得られるポリプロピレン系樹脂フィルムからなる包装用梨地調感フィルムである。
【背景技術】
【０００２】  従来の包装用模様に適し、高級感を表した包装用梨地調感フィルムでは、本物の和紙とフィルムを貼りあわせるか、もしくはフィルム生産メーカーがフィルム生産時にフィルム自体にエンボスロール、マットロール、サンドブラスト等の加工を施してマット調感を出すものが多かった。しかし、これらのいずれの場合でもたいへん生産コストが高いものであったので、最近ではコストが安くて和紙のような風合いと独特の手触りを有する高級感のある包装紙が求められている。
【先行技術文献】
【特許文献】
【０００３】
【特許文献１】  特開２００１−２０６９９７号公報
【特許文献２】  特開２００２−３３７２８２号公報
【考案の概要】
【考案が解決しようとする課題】
【０００４】  前記せる特開２００１−２０６９９７号公報では、アイソタクチックポリプロピレン樹脂及びシンジオタクチックポリプロピレン樹脂の混合物を主成分とする樹脂組成物をフィルム状に押出成形し、シリコンロールを使用して梨地エンボスを施すプロピレン系梨地フィルムである。【０００５】  また、前記せる特開２００２−３３７２８２号公報では、ポリエチレン系樹脂を主成分とする芯材層の表面層がポリプロピレン系樹脂とポリオレフィン系エラストマーとを主成分とし、かつ結晶化度が４０％以下であるポリオレフィン系樹脂からなる梨地状フィルムであるが、フィルム成形は円形ダイによる空冷式多層インフレーション法によりダイの温度を２２０℃に設定し、フィルムの全厚みが１００μｍになるように表面層を形成し、更にこの表面にコロナ処理を施して梨地状としたものが開示されている。【０００６】  これらはいずれも製造コストが高いものであったが、最近では特に高級感のある食品等に見合った包装紙が求められており、本考案の課題は、和紙のような風合いと独特の手触りを有する高級感のある包装用梨地調感フィルムを安価に提供することである。【０００７】  本考案者らは、前記せる課題を解決するために鋭意研究を重ねた結果得られた知見に基づいて本考案を創案するに至ったものである。
【課題を解決するための手段】
【０００８】  グラビア印刷手法によって包装紙に適合した模様を熱可塑性フィルム表面に印刷し、更にその表面にメジウム印刷手法によって、白の体質顔料を含有したメジウムインキを印刷して梨地風合を表現したことを特徴とし、前記熱可塑性フィルムがポリプロピレン系樹脂フィルムであり、メジウムインキが０．５〜１．５重量パーセントの白の体質顔料を含有することを特徴とし、該ポリプロピレン系樹脂フィルム表面に視認及び手触りで梨地調感が付与されていることを特徴とする包装用梨地調感フィルムを提供することができた。【０００９】  また、本考案に使用するメジウムインキは、一般的にはインキの特性を変えずに濃度を落す為の希釈剤（透明）であるが、これに０．５〜１．５重量パーセントの白の体質顔料を均一に混合したメジウムインキを使用し、かつメジウムインキも「裏印刷用」の「ザラット感」のあるものを使用して手触りでも「ザラット感」のある包装用梨地調感フィルムを提供することができた。
【考案の効果】
【００１０】  以上説明したように本考案の構成によれば、従来のような生産コストの高いエンボスロール、マットロール、サンドブラスト等の加工を施さずに梨地調感が得られるポリプロピレン系樹脂フィルムからなる包装用梨地調感フィルムを得ることができた。【００１１】  ちなみに本考案の包装用梨地調感フィルムのコストは、本物の和紙の三分の一、フィルムに梨地を形成したものの半値であり、またグラビア印刷手法でできるので「製版段階」で中身の商品を隠したり、窓空き部分で見せたりすることを自在にすることができる。
【考案を実施するための形態】
【００１２】  グラビア印刷手法によって包装紙に適合した模様を熱可塑性フィルム表面に印刷し、更にその表面にメジウム印刷手法によって、白の体質顔料を含有したメジウムインキを印刷して梨地風合を表現したことを特徴とし、熱可塑性フィルムがポリプロピレン系樹脂フィルムであり、メジウムインキが０．５〜１．５重量パーセントの白の体質顔料を含有することを特徴とし、且つ、視認及び手触りで梨地調感が付与されていることを特徴とする包装用梨地調感フィルムを提供することができる。
【産業上の利用可能性】
【００１３】  以上説明したように本考案によれば、通常のグラビア印刷手法で包装用梨地調感フィルムを廉価に提供することができるので、一般消費者が好むような高級食品等の商品に高級感のある包装をすることができる。【００１４】  この結果、一般消費者が好むような高級食品等の商品に高級感のある包装を廉価に提供することができるので、贈答品等の包装に適した拡販が見込まれ、産業上の利用可能性が高いものである。
0003183855.tif 000003
【手続補正書】
【提出日】平成25年3月4日(2013.3.4)
【手続補正１】
【補正対象書類名】明細書
【補正対象項目名】全文
【補正方法】変更
【補正の内容】
【考案の詳細な説明】
【技術分野】
【０００１】  本考案は包装用梨地調感フィルムに関し、特にエンボスロール、マットロール、サンドブラスト等の加工を施さずに梨地調感が得られるポリプロピレン系樹脂フィルムからなる包装用梨地調感フィルムである。
【背景技術】
【０００２】  従来の包装用模様に適し、高級感を表した包装用梨地調感フィルムでは、本物の和紙とフィルムを貼りあわせるか、もしくはフィルム生産メーカーがフィルム生産時にフィルム自体にエンボスロール、マットロール、サンドブラスト等の加工を施してマット調感を出すものが多かった。しかし、これらのいずれの場合でもたいへん生産コストが高いものであったので、最近ではコストが安くて和紙のような風合いと独特の手触りを有する高級感のある包装紙が求められている。
【先行技術文献】
【特許文献】
【０００３】
【特許文献１】特開２００１−２０６９９７号公報
【特許文献２】特開２００２−３３７２８２号公報
【考案の概要】
【考案が解決しようとする課題】
【０００４】  前記せる特開２００１−２０６９９７号公報では、アイソタクチックポリプロピレン樹脂及びシンジオタクチックポリプロピレン樹脂の混合物を主成分とする樹脂組成物をフィルム状に押出成形し、シリコンロールを使用して梨地エンボスを施すプロピレン系梨地フィルムである。【０００５】  また、前記せる特開２００２−３３７２８２号公報では、ポリエチレン系樹脂を主成分とする芯材層の表面層がポリプロピレン系樹脂とポリオレフィン系エラストマーとを主成分とし、かつ結晶化度が４０％以下であるポリオレフィン系樹脂からなる梨地状フィルムであるが、フィルム成形は円形ダイによる空冷式多層インフレーション法によりダイの温度を２２０℃に設定し、フィルムの全厚みが１００μｍになるように表面層を形成し、更にこの表面にコロナ処理を施して梨地状としたものが開示されている。【０００６】  これらはいずれも製造コストが高いものであったが、最近では特に高級感のある食品等に見合った包装紙が求められており、本考案の課題は、和紙のような風合いと独特の手触りを有する高級感のある包装用梨地調感フィルムを安価に提供することである。【０００７】  本考案者らは、前記せる課題を解決するために鋭意研究を重ねた結果得られた知見に基づいて本考案を創案するに至ったものである。
【課題を解決するための手段】
【０００８】  グラビア印刷手法によって包装紙に適合した模様を熱可塑性フィルム表面に印刷し、更にその表面にメジウム印刷手法によって、白の体質顔料を含有したメジウムインキを印刷して梨地風合を表現したことを特徴とし、前記熱可塑性フィルムがポリプロピレン系樹脂フィルムであり、メジウムインキが０．５〜１．５重量パーセントの白の体質顔料を含有することを特徴とし、該ポリプロピレン系樹脂フィルム表面に視認及び手触りで梨地調感が付与されていることを特徴とする包装用梨地調感フィルムを提供することができた。【０００９】  また、本考案に使用するメジウムインキは、一般的にはインキの特性を変えずに濃度を落す為の希釈剤（透明）であるが、これに０．５〜１．５重量パーセントの白の体質顔料を均一に混合したメジウムインキを使用し、かつメジウムインキも「裏印刷用」の「ザラット感」のあるものを使用して手触りでも「ザラット感」のある包装用梨地調感フィルムを提供することができた。
【考案の効果】
【００１０】  以上説明したように本考案の構成によれば、従来のような生産コストの高いエンボスロール、マットロール、サンドブラスト等の加工を施さずに梨地調感が得られるポリプロピレン系樹脂フィルムからなる包装用梨地調感フィルムを得ることができた。【００１１】  ちなみに本考案の包装用梨地調感フィルムのコストは、本物の和紙の三分の一、フィルムに梨地を形成したものの半値であり、またグラビア印刷手法でできるので「製版段階」で中身の商品を隠したり、窓空き部分で見せたりすることを自在にすることができる。
【考案を実施するための形態】
【００１２】  図１に示すように、グラビア印刷機１によって、グラビアシリンダー２と圧胴３の間に熱可塑性フィルム４を挿通し、グラビアシリンダー２のセル面２１に供給されるグラビアインキ２２を該熱可塑性フィルム４に印刷し、グラビア印刷面４１を形成する。
【００１３】  グラビア印刷面４１は包装紙に適合した模様で印刷されており、更にその表面にメジウム印刷手法によって、白の体質顔料を含有したメジウムインキを印刷して梨地風合を表現することができる。
【００１４】  熱可塑性フィルム４はポリプロピレン系樹脂フィルムであり、メジウムインキが０．５〜１．５重量パーセントの白の体質顔料を含有しており、メジウムインキに含有されている白色顔料によって梨地状のエンボスが形成される。
【００１５】  図２に示すように、メジウムイン機容器５と体質顔料容器６から混合機７にて、上記の混合割合に調製されたメジウムインキを熱可塑性フィルム４上に印刷する。
【００１６】  図３に示すように、熱可塑性フィルム４に印刷されたグラビア印刷面４１の表面に更にメジウム印刷面４２が形成され、該メジウム印刷面４２の表面は、メジウムインキに含有する白の体質顔料によって、梨地表面４３が形成される。
【産業上の利用可能性】
【００１７】  以上説明したように本考案によれば、通常のグラビア印刷手法で包装用梨地調感フィルムを廉価に提供することができるので、一般消費者が好むような高級食品等の商品に高級感のある包装をすることができる。【００１８】  この結果、一般消費者が好むような高級食品等の商品に高級感のある包装を廉価に提供することができるので、贈答品等の包装に適した拡販が見込まれ、産業上の利用可能性が高いものである。
【図面の簡単な説明】
【００１９】
【図１】グラビア印刷機の概略図である。
【図２】メジウム印刷機の概略図である。
【図３】包装用梨地調感フィルムの部分拡大断面図である。
【符号の説明】
【００２０】  １  グラビア印刷機  ２  グラビアシリンダー２１  セル面２２  グラビアインキ  ３  圧胴  ４  フィルム４１  グラビア印刷面４２  メジウム印刷面４３  梨地表面  ５  メジウムインキ容器  ６  体質顔料容器  ７  混合機  ８  メジウム印刷機
【手続補正２】
【補正対象書類名】図面
【補正対象項目名】全図
【補正方法】追加
【補正の内容】
【図１】
0003183855.tif 000004
【図２】
0003183855.tif 000005
【図３】
0003183855.tif 000006
【手続補正３】
【補正対象書類名】実用新案登録請求の範囲
【補正対象項目名】請求項３
【補正方法】変更
【補正の内容】
【請求項３】
メジウムインキに含有されている白色体質顔料によって梨地表面が形成されたことを特徴とする請求項１記載の包装用梨地調感フィルム。